(57)【特許請求の範囲】
【請求項１】
縦方向走行レール上を走行するバケット台車が親台車上に子台車を分離可能に搭載することによって構成される親子式台車構造からなり、前記バケット台車上にコークバケットが回転可能に載置され、前記子台車上に該コークバケットを載せるための受皿が載置され、該受皿の下部に、一対のガイドプレートの基部が、前記受皿の中心の両側に一定の平行間隔をあけて設けられると共にその先部が下方に伸延され、前記親台車の上部中央に回転軸が突設されると共に、該回転軸に、前記ガイドプレート間に入って前記受皿を回転可能な旋回腕が取付けられ、前記回転軸の駆動装置が前記親台車に取付けられ、該親台車上の両端には該親台車の走行方向と直交する横方向ガイドレールが設けられ、該横方向ガイドレール上に前記子台車の両端下端部の車輪が載せられ、かつ、前記縦方向走行レールに並設された床面上に前記横方向ガイドレールと整合可能な横移動レールが敷設され、前記親台車から分離された前記子台車が、前記横移動レールと前記横方向ガイドレールとの間で往復移動可能に構成される赤熱コークス受骸装置において、
前記受皿にストッパーが取付けられると共に、前記子台車に前記ストッパーと係合・解除可能なストッパー係合片が取付けられ、前記子台車が前記親台車上の前記横方向ガイドレールから前記横移動レールに移送される際に前記ストッパー係合片が前記ストッパーに係合され前記受皿が前記子台車に対して回転しない状態とされると共に、前記子台車が前記横移動レールから前記親台車上の前記横方向ガイドレールに移送される際に前記ストッパー係合片が前記ストッパーから解除され前記受皿が前記子台車に対して自由回転状態に支持されることを特徴とするコークバケットの回転ずれ防止機能を有する赤熱コークス受骸装置。
【請求項２】
前記ストッパーが、前記受皿の外周縁部に円周方向に所定の間隔を開けて平行に突設された一対の挟持板から形成され、前記ストッパー係合片が、上端にストッパー係合部を具備すると共に下端にカウンターウエイトを具備し、中央部が前記子台車の内周縁部に枢支される揺動レバーから形成され、前記子台車が前記横移動レール上を移動する際は前記カウンターウエイトによって前記ストッパー係合部が前記挟持板間に挿入され、前記子台車が前記横方向ガイドレール上に載置される際はストッパー係合片解除装置によって前記ストッパー係合部は前記挟持板から抜き取られることを特徴とする請求項１記載のコークバケットの回転ずれ防止機能を有する赤熱コークス受骸装置。
【請求項３】
前記ストッパー係合片解除装置は、前記揺動レバーを枢軸周りに揺動自在な進退作動シリンダからなることを特徴とする請求項２記載のコークバケットの回転ずれ防止機能を有する赤熱コークス受骸装置。
【請求項４】
前記ストッパー係合片解除装置は、前記揺動レバーを、前記子台車を前記横移動レールと前記横方向ガイドレールとの間で往復移動させる牽引装置に、リンク機構を介して連動連結することによって構成されることを特徴とする請求項２記載のコークバケットの回転ずれ防止機能を有する赤熱コークス受骸装置。
【発明の詳細な説明】
【０００１】
【発明の属する技術分野】
本発明は、コークスの乾式消火を行なうコークス炉から排出される赤熱コークスを受けるコークス受骸装置において子台車に対する受皿の相対的な回転ずれを防止することができるコークバケットの回転ずれ防止機能を有する赤熱コークス受骸装置に関する。
【０００２】
【従来の技術】
従来、コークスの乾式消火を行なうコークス炉から排出される赤熱コークスを受けるコークス受骸装置の一形態として図５〜図８に示す形態のコークス受骸装置Ｂがある。
図示するように、コークス炉１０から窯出される赤熱コークス１１を受けるコークバケット１２の胴体１３は円筒形としており、コークバケット１２は縦方向走行レール２２上を車輪１４ａによって縦方向に走行自在なバケット台車１４上に回転可能に載置されている。
【０００３】
バケット台車１４は、親台車１５上に子台車１６を載せた親子式台車構造を有しており、子台車１６上には、コークバケット１２を載せるための受皿１７が回転可能に載置されている。即ち、子台車１６の中央部には複数の受けローラ１６ａが図６及び図７に示すように配置されており、各受けローラ１６ａは横軸を中心にして回転し、かつ、子台車１６の中心と同心円の円周上に配置されている。一方、受皿１７の周縁は子台車１６に設けた複数個のサイドガイドローラ１７ａにより支持されて子台車１６の中心と同心円的になるようにされている。受皿１７の下部には、左右一対のガイドプレート１８の基部が受皿１７の中心の両側に一定の間隔で平行に取付けられている。また、これらのガイドプレート１８の先部は下方に向けて伸延されている。
【０００４】
一方、親台車１５の上部中央には回転軸１９が突設されており、この回転軸１９には、上記した一対のガイドプレート１８間に入って受皿１７を回転させる旋回腕２０が取付けられており、旋回腕２０の両端にはローラ２０ａが取付けられている。また、回転軸１９を回転するための駆動装置２１が親台車１５に設けられている。さらに、親台車１５の上面両端部には、縦方向走行レール２２に沿って走行する親台車１５の走行方向と直交する横方向に伸延する横方向ガイドレール２３が敷設されている。そして、この横方向ガイドレール２３上に、上記した子台車１６の両端下部に取付けられた車輪２４が走行自在に載置されている。
【０００５】
また、コークバケット１２の底部には、図５に示すように、軸２５を中心として下方に向けて観音開き状に開閉する一対の排出ゲート２６が取付けられている。両排出ゲート２６の外側には、図５に示すように、排出ゲート２６の開閉方向と直交する方向の両端部にキャッチングブロック２７が設けられている。
【０００６】
一方、コークバケット１２の外周部にはコークバケット１２から離れてコークバケット１２を囲むように保持枠２８が設けられており、この保持枠２８の相対する両側に吊金具２９が固定されている。また、この保持枠２８にはそれぞれキャッチングブロック２７と係合する連結ロッド３０が設けられている。この連結ロッド３０の下端部にはローラ３１が取付けられており、このローラ３１がキャッチングブロック２７と係合するようになっている。そして、このローラ３１とキャッチングブロック２７の係合により、コークバケット１２を、排出ゲート２６を閉じた状態で吊支することができる。
なお、図中、３２はローラ３１を連結ロッド３０に回転可能に取付けるためのピン、３３は連結ロッド３０を保持枠２８に取付けるピン、３４は吊金具２９に設けられたガイドローラである。
【０００７】
次に、上記した構成を有するコークス受骸装置Ｂの作動について、図５〜図８、特に、図８を参照して説明する。
親台車１５の上に子台車１６を載せ、子台車１６の受皿１７上にコークバケット１２を載せると共に、受皿１７の下部の両ガイドプレート１８間に親台車１５上の旋回腕２０が嵌合されている状態でバケット台車１４をコークス炉１０の前まで移動させる。
【０００８】
次に、旋回腕２０の回転により子台車１６上のコークバケット１２を回転させながら、赤熱コークス１１をコークバケット１２内に受骸する。
その後、バケット台車１４を、縦方向走行レール２２と直交する方向に、バケット台車１４に隣接する床面上に敷設されている横移動レール３５と整合する位置まで移動させる。そして、受皿１７の下部のガイドプレート１８が親台車１５上の横方向に伸延する横方向ガイドレール２３と平行になっている条件で、子台車１６をコークバケット１２と共に親台車１５から横移動レール３５上に乗り入れた後、さらに所定位置まで横移動させる。その後、コークバケット１２を保持枠２８と共にクレーンによって巻き上げ、乾式消火設備のプレチャンバーの上方まで移送し、同位置で、コークバケット１２の底部に設けられている排出ゲート２６を開けてコークバケット１２内の赤熱コークス１１をプレチャンバー内に装入する。
【０００９】
このように、バケット台車１４を親台車１５とその上の子台車１６とに分離し、子台車１６は親台車１５上から、横方向に搬出できるようにしたので、赤熱コークス１１を受骸したコークバケット１２をコークス炉１０に対して横方向に移動させる必要のある設備の場合でも容易にコークバケット１２を移動させることができる。
【００１０】
【発明が解決しようとする課題】
しかし、上記したコークス受骸装置Ｂは、未だ、以下の解決すべき課題を有していた。
即ち、子台車１６を横移動レール３５に沿ってコークス乾式消火設備へ移動させるとき、受皿１７のガイドプレート１８が旋回腕２０との嵌合から離脱するため、受皿１７の回転を拘束するものがなく、受皿１７上のコークバケット１２が回転するおそれがあった。そして、コークバケット１２が回転すると、コークバケット１２の排出ゲート２６の外側であって、排出ゲート２６の開閉方向と直交する方向に両端に設けられたキャッチングブロック２７も回転することになる。従って、クレーンで持ち上げるときに、コークバケット１２の外周部に、コークバケット１２を囲む状態で設けられた保持枠２８の相対する両側に取付けられている連結ロッド３０のローラ３１がキャッチングブロック２７との係合から外れ、キャッチングブロック２７を持ち上げることができず、排出ゲート２６が開放することになる。そのため、コークバケット１２内の赤熱コークス１１が子台車１６上にまき散らされ、操業不可能な状態になる。
【００１１】
本発明は、このような事情に鑑みなされたものであり、クレーンによるコークバケットの巻き上げ時において、排出ゲートの開放を確実に防止して、赤熱コークスをまき散らすことなく安全かつ安定した操業を行うことができるコークバケットの回転ずれ防止機能を有する赤熱コークス受骸装置を提供することを目的とする。
【００１２】
【課題を解決するための手段】
前記目的に沿う請求項１記載のコークバケットの回転ずれ防止機能を有する赤熱コークス受骸装置は、縦方向走行レール上を走行するバケット台車が親台車上に子台車を分離可能に搭載することによって構成される親子式台車構造からなり、前記バケット台車上にコークバケットが回転可能に載置され、前記子台車上に該コークバケットを載せるための受皿が載置され、該受皿の下部に、一対のガイドプレートの基部が、前記受皿の中心の両側に一定の平行間隔をあけて設けられると共にその先部が下方に伸延され、前記親台車の上部中央に回転軸が突設されると共に、該回転軸に、前記ガイドプレート間に入って前記受皿を回転可能な旋回腕が取付けられ、前記回転軸の駆動装置が前記親台車に取付けられ、該親台車上の両端には該親台車の走行方向と直交する横方向ガイドレールが設けられ、該横方向ガイドレール上に前記子台車の両端下端部の車輪が載せられ、かつ、前記縦方向走行レールに並設された床面上に前記横方向ガイドレールと整合可能な横移動レールが敷設され、前記親台車から分離された前記子台車が、前記横移動レールと前記横方向ガイドレールとの間で往復移動可能に構成される赤熱コークス受骸装置において、前記受皿にストッパーが取付けられると共に、前記子台車に前記ストッパーと係合・解除可能なストッパー係合片が取付けられ、前記子台車が前記親台車上の前記横方向ガイドレールから前記横移動レールに移送される際に前記ストッパー係合片が前記ストッパーに係合され前記受皿が前記子台車に対して回転しない状態とされると共に、前記子台車が前記横移動レールから前記親台車上の前記横方向ガイドレールに移送される際に前記ストッパー係合片が前記ストッパーから解除され前記受皿が前記子台車に対して自由回転状態に支持される。
【００１３】
請求項２記載のコークバケットの回転ずれ防止機能を有する赤熱コークス受骸装置は、請求項１記載のコークバケットの回転ずれ防止機能を有する赤熱コークス受骸装置において、前記ストッパーが、前記受皿の外周縁部に円周方向に所定の間隔を開けて平行に突設された一対の挟持板から形成され、前記ストッパー係合片が、上端にストッパー係合部を具備すると共に下端にカウンターウエイトを具備し、中央部が前記子台車の内周縁部に枢支される揺動レバーから形成され、前記子台車が前記横移動レール上を移動する際は前記カウンターウエイトによって前記ストッパー係合部が前記挟持板間に挿入され、前記子台車が前記横方向ガイドレール上に載置される際はストッパー係合片解除装置によって前記ストッパー係合部は前記挟持板から抜き取られる。
【００１４】
請求項３記載のコークバケットの回転ずれ防止機能を有する赤熱コークス受骸装置は、請求項２記載のコークバケットの回転ずれ防止機能を有する赤熱コークス受骸装置において、前記ストッパー係合片解除装置は、前記揺動レバーを枢軸周りに揺動自在な進退作動シリンダからなる。
請求項４記載のコークバケットの回転ずれ防止機能を有する赤熱コークス受骸装置は、請求項２記載のコークバケットの回転ずれ防止機能を有する赤熱コークス受骸装置において、前記ストッパー係合片解除装置は、前記揺動レバーを、前記子台車を前記横移動レールと前記横方向ガイドレールとの間で往復移動させる牽引装置に、リンク機構を介して連動連結することによって構成される。
【００１５】
【発明の実施の形態】
続いて、添付した図面を参照しつつ、本発明を具体化した幾つかの実施の形態につき説明し、本発明の理解に供する。
【００１６】
（第１の実施の形態）
まず、図１及び図２を参照して、本発明の第１の実施の形態に係るコークバケットの回転ずれ防止機能を有する赤熱コークス受骸装置Ａの構成について説明する。
図１に示すように、本実施の形態に係るコークバケットの回転ずれ防止機能を有する赤熱コークス受骸装置Ａは、図５〜図８を参照して説明したコークス受骸装置Ｂと同様な基本構成を有しており、従って、同一の構成要素は同一の符号で示す。
【００１７】
本実施の形態に係るコークバケットの回転ずれ防止機能を有する赤熱コークス受骸装置Ａは、上記した基本構成において、さらに、以下に詳述するように、コークバケットの回転ずれ防止機能を付加したことを特徴とする。
【００１８】
即ち、図１〜図３に示すように、本実施の形態では、受皿１７にストッパー４０が取付けられると共に、子台車１６にストッパー４０と係合・解除可能なストッパー係合片４１が取付けられ、子台車１６が横方向ガイドレール２３から横移動レール３５に移送される際に自動的にストッパー係合片４１がストッパー４０に係合され受皿１７が子台車１６に対して回転しない状態とされると共に、子台車１６が横移動レール３５から横方向ガイドレール２３に移送される際に自動的にストッパー係合片４１がストッパー４０から解除され受皿１７が子台車１６に対して自由回転状態に支持されるように構成されていることを特徴とする。
【００１９】
以下、図１〜図３を参照して、上記した構成をさらに詳細に説明する。
図１〜図３に示すように、ストッパー４０は受皿１７の外周縁部４２に円周方向に所定の間隔を開けて平行に突設された一対の矩形形状の挟持板４２ａから構成されている。
【００２０】
一方、ストッパー係合片４１は、子台車１６の内周縁部４３に設けられた切欠空間４８を通して上下方向に貫通した状態で子台車１６に取付けられる揺動レバー４６から構成されている。揺動レバー４６の中央部４６ａが子台車１６の内周縁部４３上に立設されたブラケット４４に枢軸４５によって揺動自在に枢支されており、子台車１６の内周縁部４３の上面より上方に突出する揺動レバー４６の上端には内方に向けて略水平に屈曲するストッパー係合部４７が形成されると共に、子台車１６の内周縁部４３の下面より下方に突出する揺動レバー４６の下端には外方に向けて略水平に屈曲するカウンターウエイト４９が取付けられている。また、揺動レバー４６の下半部は傾斜面を有しており、傾斜面にはロッド当接板５０が取付けられている。
【００２１】
親台車１５の外周縁部１５ａであって、ストッパー係合片４１の下方をなす個所にはストッパー係合片解除装置５１が取付けられている。本実施の形態では、ストッパー係合片解除装置５１は、上方に向けて進退する作動ロッド５２を具備する油圧シリンダ等の進退作動シリンダ５３から形成されている。
【００２２】
次に、上記した構成を有するコークバケットの回転ずれ防止機能を有する赤熱コークス受骸装置Ａの作動について、図１〜図３を参照して説明する。
子台車１６が親台車１５上に設置されている横方向ガイドレール２３上に載置されている場合、図２に想像線で示すように、進退作動シリンダ５３の進出動作によって作動ロッド５２の先部がロッド当接板５０を押圧し、この押圧によって揺動レバー４６が枢軸４５周りに反時計方向に回転され、ストッパー係合部４７は挟持板４２ａから抜き取られる。従って、子台車１６に対して受皿１７は相対的に自由に回転することができ、受皿１７を駆動装置２１で回転させながら、コークス炉１０から赤熱コークス１１を受骸することができる。
【００２３】
一方、親台車１５上の横方向ガイドレール２３を床面上の横移動レール３５と整合させた後、子台車１６を受皿１７と共に横方向ガイドレール２３から横移動レール３５に移載するに際しては、進退作動シリンダ５３を作動して作動ロッド５２を後退させることによって、図２に実線で示すように、揺動レバー４６はカウンターウエイト４９の自重によって自動的に枢軸４５周りに時計方向に回転する。この回転によって、ストッパー係合部４７は挟持板４２ａ間に挿入されることになる。従って、横移動レール３５上で子台車１６を移動する際、及び、その後にクレーンでコークバケット１２を持ち上げ、コークス乾式消火設備に向けて移送する際、子台車１６に対する受皿１７の相対回転、即ち、コークバケット１２の回転を防止することができ、コークス乾式消火設備上で排出ゲート２６を開けるまで、連結ロッド３０の先部に取付けられているローラ３１を確実にキャッチングブロック２７に係合させることができ、排出ゲート２６の不慮の開放事故を確実に防止することができ、安定かつ安全な操業が可能となる。
【００２４】
（第２の実施の形態）
本実施の形態に係るコークバケットの回転ずれ防止機能を有する赤熱コークス受骸装置Ａ１は、ストッパー係合片４１のストッパー４０との係合を解除するに際して、ストッパー係合片解除装置として第１の実施の形態における進退作動シリンダ５３に代えて、図４に示すように、子台車１６を横移動レール３５と横方向ガイドレール２３との間で往復移動する牽引装置５４を用いることを特徴とする。
【００２５】
即ち、本実施の形態では、親台車１５の外周縁部１５ａに両端開口の筒体５６が設けられており、筒体５６内には上下方向に進退自在に作動ロッド５７が収納されている。作動ロッド５７の上端は、作動ロッド５７の上方への進出によって、揺動レバー４６のロッド当接板５０を上方に押圧することができる。一方、作動ロッド５７の下端は、中央部が枢軸５８によって揺動自在に枢支されているリンク機構の一例である連結リンク５９の一端に枢ピン６０によって枢支されている。また、連結リンク５９の他端は連結ワイヤ６１によって牽引装置５４に連動連結されている。
【００２６】
従って、本実施の形態においても、子台車１６が親台車１５上に設置されている横方向ガイドレール２３上に載置されている場合、図４に想像線で示すように、牽引装置５４の牽引動作によって作動ロッド５７の先部がロッド当接板５０を押圧し、この押圧によって揺動レバー４６が枢軸４５周りに反時計方向に回転され、ストッパー係合部４７は挟持板４２ａから抜き取られる。従って、子台車１６に対して受皿１７は相対的に自由に回転することができ、受皿１７を駆動装置２１で回転させながら、コークス炉１０から赤熱コークス１１を受骸することができる。
【００２７】
一方、親台車１５上の横方向ガイドレール２３を床面上の横移動レール３５と整合させた後、子台車１６を受皿１７と共に横方向ガイドレール２３から横移動レール３５に移載するに際しては、牽引装置５４による牽引動作を停止して作動ロッド５７を後退させることによって、図４に実線で示すように、揺動レバー４６はカウンターウエイト４９の自重によって自動的に枢軸４５周りに時計方向に回転する。この回転によって、ストッパー係合部４７は挟持板４２ａ間に挿入されることになる。従って、横移動レール３５上で子台車１６を移動する際、及び、その後にクレーンでコークバケット１２を持ち上げ、コークス乾式消火設備に向けて移送する際、子台車１６に対する受皿１７の相対回転、即ち、コークバケット１２の回転を防止することができ、コークス乾式消火設備上で排出ゲート２６を開けるまで、連結ロッド３０の先部に取付けられているローラ３１を確実にキャッチングブロック２７に係合させることができ、排出ゲート２６の不慮の開放事故を確実に防止することができ、安定かつ安全な操業が可能となる。
【００２８】
以上、本発明を、幾つかの実施の形態を参照して説明してきたが、本発明は何ら上記した実施の形態に記載の構成に限定されるものではなく、特許請求の範囲に記載されている事項の範囲内で考えられるその他の実施の形態や変容例も含むものである。
【００２９】
【発明の効果】
請求項１〜４記載のコークバケットの回転ずれ防止機能を有する赤熱コークス受骸装置においては、受皿にストッパーが取付けられると共に、子台車にストッパーと係合・解除可能なストッパー係合片が取付けられ、子台車が親台車上の横方向ガイドレールから横移動レールに移送される際にストッパー係合片がストッパーに係合され受皿が子台車に対して回転しない状態とされると共に、子台車が横移動レールから親台車上の横方向ガイドレールに移送される際にストッパー係合片がストッパーから解除され受皿が子台車に対して自由回転状態に支持される。
従って、子台車が親台車から分離された後は受皿の子台車に対する相対回転は阻止されるので、クレーンでのコークバケットの巻き上げ時に排出ゲートが開放して赤熱コークスをまき散らす事故を確実に防止することができ、安定したかつ安全な操業が可能となる。
【００３０】
請求項２記載のコークバケットの回転ずれ防止機能を有する赤熱コークス受骸装置においては、ストッパーが、受皿の外周縁部に円周方向に所定の間隔を開けて平行に突設された一対の挟持板から形成され、ストッパー係合片が、上端にストッパー係合部を具備すると共に下端にカウンターウエイトを具備し、中央部が子台車の内周縁部に揺動自在に枢支される揺動レバーから形成され、子台車が横移動レール上を移動する際はカウンターウエイトによってストッパー係合部がストッパーの挟持板間に挿入され、子台車が親台車上の横方向ガイドレール上に載置される際はストッパー係合片解除装置によってストッパー係合部はストッパーの挟持板から抜き取られるようにしている。
【００３１】
従って、単に、揺動レバーのストッパー係合部を挟持板間に、カウンターウエイトとストッパー係合片解除装置を用いて抜き差しすることによって、ストッパーとストッパー係合片とを自動的に係合・解除することができ、安定かつ安全な操業を確保すると共に、操業の迅速化を図ることができる。
【００３２】
請求項３記載のコークバケットの回転ずれ防止機能を有する赤熱コークス受骸装置においては、ストッパー係合片解除装置は、揺動レバーを枢軸周りに揺動自在な進退作動シリンダから構成されているので、ストッパーとストッパー係合片との係合・解除を確実に行うことができると共に、ストッパー係合片解除装置を安価に製作することができる。
【００３３】
請求項４記載のコークバケットの回転ずれ防止機能を有する赤熱コークス受骸装置においては、ストッパー係合片解除装置は、揺動レバーを、子台車を横移動レールと親台車上の横方向ガイドレールとの間で往復移動させる牽引装置に、リンク機構を介して連動連結することによって構成されているので、ストッパーとストッパー係合片との係合・解除を確実に行うことができると共に、牽引装置の利用によりストッパー係合片解除装置を安価に製作することができる。
【図面の簡単な説明】
【図１】本発明の第１の実施の形態に係るコークバケットの回転ずれ防止機能を有する赤熱コークス受骸装置の正面図である。
【図２】同ストッパーとストッパー係合片との取付・係合関係を示す要部拡大側面図である。
【図３】同ストッパーとストッパー係合片との取付・係合関係を示す受皿の平面図である。
【図４】本発明の第２の実施の形態に係るコークバケットの回転ずれ防止機能を有する赤熱コークス受骸装置のストッパーとストッパー係合片との取付・係合関係を示す要部拡大側面図である。
【図５】従来のコークス受骸装置の正面図である。
【図６】同断面側面図である。
【図７】同受皿の平面図である。
【図８】同使用状態説明図である。
【符号の説明】
Ａ  コークバケットの回転ずれ防止機能を有する赤熱コークス受骸装置
Ａ１  コークバケットの回転ずれ防止機能を有する赤熱コークス受骸装置
１０  コークス炉                    １１  赤熱コークス
１２  コークバケット                １３  胴体
１４  バケット台車                  １４ａ  車輪
１５  親台車                        １５ａ  外周縁部
１６  子台車                        １６ａ  受けローラ
１７  受皿                          １７ａ  サイドガイドローラ
１８  ガイドプレート                １９  回転軸
２０  旋回腕                        ２０ａ  ローラ
２１  駆動装置                      ２２  縦方向走行レール
２３  横方向ガイドレール            ２４  車輪
２５  軸                            ２６  排出ゲート
２７  キャッチングブロック          ２８  保持枠
２９  吊金具                        ３０  連結ロッド
３１  ローラ                        ３２  ピン
３３  ピン                          ３４  ガイドローラ
３５  横移動レール                  ４０  ストッパー
４１  ストッパー係合片              ４２  外周縁部
４２ａ  挟持板                      ４３  内周縁部
４４  ブラケット                    ４５  枢軸
４６  揺動レバー                    ４６ａ  中央部
４７  ストッパー係合部              ４８  切欠空間
４９  カウンターウエイト            ５０  ロッド当接板
５１  ストッパー係合片解除装置      ５２  作動ロッド
５３  進退作動シリンダ              ５４  牽引装置
５６  筒体                          ５７  作動ロッド
５８  枢軸                          ５９  連結リンク（リンク機構）
６０  枢ピン                        ６１  連結ワイヤ
【図１】
0003571872.tif 000002
【図２】
0003571872.tif 000003
【図３】
0003571872.tif 000004
【図４】
0003571872.tif 000005
【図５】
0003571872.tif 000006
【図６】
0003571872.tif 000007
【図７】
0003571872.tif 000008
【図８】
0003571872.tif 000009